(57)【要約】【課題】  特に電子機器に設置することにより、レールを設けずにカバーを本体に対して回転させることができる回転式ヒンジを提供する。【解決手段】  回転プレート（１１）を有する回転ユニット（１０）と、前記回転プレート（１１）に枢設される下部固定プレート（２１）と、該下部固定プレート（２１）と回転プレート（１１）に貫設されると共に、下部固定プレート（２１）に固定される枢軸（２３）を有する固定ユニット（２０）とを有し、更に、前記回転ユニット（１０）と固定ユニット（２０）に固定され、該回転ユニット（１０）を固定ユニット（２０）に対して選択的に２つの位置の何れかに位置決めさせる付勢力を有する復位ユニット（３０）を備えることを特徴とする。【選択図】  図１
0003157916.tif 000002
【実用新案登録請求の範囲】
【請求項１】
回転プレート（１１）を有する回転ユニット（１０）と、
前記回転プレート（１１）に枢設される下部固定プレート（２１）と、該下部固定プレート（２１）と回転プレート（１１）に貫設されると共に、下部固定プレート（２１）に固定される枢軸（２３）を有する固定ユニット（２０）とを有し、
更に、前記回転ユニット（１０）と固定ユニット（２０）に固定され、該回転ユニット（１０）を固定ユニット（２０）に対して選択的に２つの位置の何れかに位置決めさせる付勢力を有する復位ユニット（３０）を備えることを特徴とする回転式ヒンジ。
【請求項２】
前記復位ユニット（３０）は少なくとも１つのトーションばね（３１）を有し、該各トーションばね（３１）の両端は夫々、前記回転ユニット（１０）と固定ユニット（２０）に固定されることを特徴とする請求項１に記載の回転式ヒンジ。
【請求項３】
前記固定ユニット（２０）は更に上部固定プレート（２２）を有し、該上部固定プレート（２２）と前記下部固定プレート（２１）は夫々、前記回転プレート（１１）の一側に位置し、前記枢軸（２３）は、下部固定プレート（２１）と回転プレート（１１）と上部固定プレート（２２）に順に貫設されると共に、該上部固定プレート（２２）に固定されることを特徴とする請求項１に記載の回転式ヒンジ。
【請求項４】
前記固定ユニット（２０）は更に上部固定プレート（２２）を有し、該上部固定プレート（２２）と前記下部固定プレート（２１）は夫々、前記回転プレート（１１）の一側に位置し、前記枢軸（２３）は、下部固定プレート（２１）と回転プレート（１１）と上部固定プレート（２２）に順に貫設されると共に、上部固定プレート（２２）に固定され、前記復位ユニット（３０）におけるトーションばね（３１）の両端は夫々、該回転プレート（１１）と上部固定プレート（２２）に固定されることを特徴とする請求項２に記載の回転式ヒンジ。
【請求項５】
前記回転プレート（１１）に円形の第１枢設孔（１１１）が穿設されると共に、前記下部固定プレート（２１）に非円形の第２枢設孔（２１１）が穿設され、更に前記上部固定プレート（２２）に非円形の第３枢設孔（２２１）が穿設され、前記枢軸（２３）は、断面形状が非円形であり、該各枢設孔に貫設されると共に、該第２枢設孔（２１１）と第３枢設孔（２２１）に係合されることを特徴とする請求項３または４に記載の回転式ヒンジ。
【請求項６】
カバーと、本体と、該カバーの底部と本体の上部との間に設置される、請求項１に記載の回転式ヒンジとを備え、該回転式ヒンジにおける回転ユニット（１０）が該カバーに固定されると共に、回転式ヒンジにおける固定ユニット（２０）が該本体に固定されることを特徴とする携帯型電子機器。
【請求項７】
前記回転式ヒンジが前記カバーの底部中央に設置されることを特徴とする請求項６に記載の携帯型電子機器。
【請求項８】
前記回転式ヒンジが前記カバーの底部周縁に設置されることを特徴とする請求項６に記載の携帯型電子機器。
【請求項９】
前記カバーの底部と本体の上部に夫々収容溝が凹設され、前記回転ユニット（１０）における回転プレート（１１）がカバーの収容溝に固設されると共に、前記固定ユニット（２０）における下部固定プレート（２１）が本体の収容溝に固設されることを特徴とする請求項６乃至８のいずれか一項に記載の携帯型電子機器。
【請求項１０】
前記復位ユニット（３０）は少なくとも１つのトーションばね（３１）を有し、該各トーションばね（３１）の両端が夫々、回転ユニット（１０）と固定ユニット（２０）に固定されることを特徴とする請求項９に記載の携帯型電子機器。
【請求項１１】
前記固定ユニット（２０）は更にカバーの収容溝に位置する上部固定プレート（２２）を有し、該上部固定プレート（２２）と前記下部固定プレート（２１）が夫々、前記回転プレート（１１）の一側に位置し、前記枢軸（２３）が、下部固定プレート（２１）と回転プレート（１１）と上部固定プレート（２２）に順に貫設されると共に、該上部固定プレート（２２）に固定され、前記復位ユニット（３０）におけるトーションばね（３１）が、カバーの収容溝に位置し、トーションばね（３１）の両端が夫々、該回転プレート（１１）と上部固定プレート（２２）に固定されることを特徴とする請求項１０に記載の携帯型電子機器。
【請求項１２】
前記回転プレート（１１）に円形の第１枢設孔（１１１）が穿設されると共に、下部固定プレート（２１）に非円形の第２枢設孔（２１１）が穿設され、更に前記上部固定プレート（２２）に非円形の第３枢設孔（２２１）が穿設され、前記枢軸（２３）は、断面形状が非円形であり、該各枢設孔に貫設されると共に、第２枢設孔（２１１）と第３枢設孔（２２１）に係合されることを特徴とする請求項１１に記載の携帯型電子機器。
【考案の詳細な説明】
【技術分野】
【０００１】
本考案は、特に携帯型電子機器におけるカバーと本体との間に設置することにより、本体に対してカバーを回転させる回転式ヒンジに関するものである。
【背景技術】
【０００２】
カバーと本体を有する携帯型電子機器（例えば携帯電話やデジタルカメラ等）におけるカバーの開閉方式にはいくつかの形態があり、その中には、上部に表示器が設けられたカバーと、上部が該カバーの底部に相対スライド可能に連結された本体とからなる構成を有するものがあり、該カバーと本体が重なり合う閉止状態では、使用者は、表示器に表示された画像や動画を見たり、タッチパネルによって指令を入力したりすることができるのに対し、カバーが本体に対して外側にスライドし、本体の上面に設置されたキーボード等の入力ユニットが露出した開放状態では、該入力ユニットによって指令を入力することができる。
【考案の概要】
【考案が解決しようとする課題】
【０００３】
前記従来のカバースライド電子機器においては、カバーを本体に対してスライド可能にするために、カバーの底部若しくは本体の上部にレールが設置されている。しかしながら、カバーを開放状態にすると、該凹状の細いレールが露出してしまい、異物が入ってしまうことから、清掃しようとしても、簡単に取り除くことができないので、レールに異物がどんどん蓄積し、カバーのスライド操作がしにくくなるといった欠点があった。
【０００４】
そこで、案出されたのが本考案であって、電子機器に設置することにより、レールを設けずにカバーを本体に対して回転させ、カバーの回転操作によって本体の特定部位を覆い隠したり、露出したりすることができる回転式ヒンジを提供することを目的としている。
【課題を解決するための手段】
【０００５】
本願の請求項１の考案は、回転プレート（１１）を有する回転ユニット（１０）と、前記回転プレート（１１）に枢設される下部固定プレート（２１）と、該下部固定プレート（２１）と回転プレート（１１）に貫設されると共に、下部固定プレート（２１）に固定される枢軸（２３）を有する固定ユニット（２０）とを有し、更に、前記回転ユニット（１０）と固定ユニット（２０）に固定され、該回転ユニット（１０）を固定ユニット（２０）に対して選択的に２つの位置の何れかに位置決めさせる付勢力を有する復位ユニット（３０）を備えることを特徴とする回転式ヒンジ、を提供する。
【０００６】
本願の請求項２の考案は、前記復位ユニット（３０）は少なくとも１つのトーションばね（３１）を有し、該各トーションばね（３１）の両端は夫々、前記回転ユニット（１０）と固定ユニット（２０）に固定されることを特徴とする請求項１に記載の回転式ヒンジ、を提供する。
【０００７】
本願の請求項３の考案は、前記固定ユニット（２０）は更に上部固定プレート（２２）を有し、該上部固定プレート（２２）と前記下部固定プレート（２１）は夫々、前記回転プレート（１１）の一側に位置し、前記枢軸（２３）は、下部固定プレート（２１）と回転プレート（１１）と上部固定プレート（２２）に順に貫設されると共に、該上部固定プレート（２２）に固定されることを特徴とする請求項１に記載の回転式ヒンジ、を提供する。
【０００８】
本願の請求項４の考案は、前記固定ユニット（２０）は更に上部固定プレート（２２）を有し、該上部固定プレート（２２）と前記下部固定プレート（２１）は夫々、前記回転プレート（１１）の一側に位置し、前記枢軸（２３）は、下部固定プレート（２１）と回転プレート（１１）と上部固定プレート（２２）に順に貫設されると共に、上部固定プレート（２２）に固定され、前記復位ユニット（３０）におけるトーションばね（３１）の両端は夫々、該回転プレート（１１）と上部固定プレート（２２）に固定されることを特徴とする請求項２に記載の回転式ヒンジ、を提供する。
【０００９】
本願の請求項５の考案は、前記回転プレート（１１）に円形の第１枢設孔（１１１）が穿設されると共に、前記下部固定プレート（２１）に非円形の第２枢設孔（２１１）が穿設され、更に前記上部固定プレート（２２）に非円形の第３枢設孔（２２１）が穿設され、前記枢軸（２３）は、断面形状が非円形であり、該各枢設孔に貫設されると共に、該第２枢設孔（２１１）と第３枢設孔（２２１）に係合されることを特徴とする請求項３または４に記載の回転式ヒンジ、を提供する。
【００１０】
本願の請求項６の考案は、カバーと、本体と、該カバーの底部と本体の上部との間に設置される、請求項１に記載の回転式ヒンジとを備え、該回転式ヒンジにおける回転ユニット（１０）が該カバーに固定されると共に、回転式ヒンジにおける固定ユニット（２０）が該本体に固定されることを特徴とする携帯型電子機器、を提供する。
【００１１】
本願の請求項７の考案は、前記回転式ヒンジが前記カバーの底部中央に設置されることを特徴とする請求項６に記載の携帯型電子機器、を提供する。
【００１２】
本願の請求項８の考案は、前記回転式ヒンジが前記カバーの底部周縁に設置されることを特徴とする請求項６に記載の携帯型電子機器、を提供する。
【００１３】
本願の請求項９の考案は、前記カバーの底部と本体の上部に夫々収容溝が凹設され、前記回転ユニット（１０）における回転プレート（１１）がカバーの収容溝に固設されると共に、前記固定ユニット（２０）における下部固定プレート（２１）が本体の収容溝に固設されることを特徴とする請求項６乃至８のいずれか一項に記載の携帯型電子機器、を提供する。
【００１４】
本願の請求項１０の考案は、前記復位ユニット（３０）は少なくとも１つのトーションばね（３１）を有し、該各トーションばね（３１）の両端が夫々、回転ユニット（１０）と固定ユニット（２０）に固定されることを特徴とする請求項９に記載の携帯型電子機器、を提供する。
【００１５】
本願の請求項１１の考案は、前記固定ユニット（２０）は更にカバーの収容溝に位置する上部固定プレート（２２）を有し、該上部固定プレート（２２）と前記下部固定プレート（２１）が夫々、前記回転プレート（１１）の一側に位置し、前記枢軸（２３）が、下部固定プレート（２１）と回転プレート（１１）と上部固定プレート（２２）に順に貫設されると共に、該上部固定プレート（２２）に固定され、前記復位ユニット（３０）におけるトーションばね（３１）が、カバーの収容溝に位置し、トーションばね（３１）の両端が夫々、該回転プレート（１１）と上部固定プレート（２２）に固定されることを特徴とする請求項１０に記載の携帯型電子機器、を提供する。
【００１６】
本願の請求項１２の考案は、前記回転プレート（１１）に円形の第１枢設孔（１１１）が穿設されると共に、下部固定プレート（２１）に非円形の第２枢設孔（２１１）が穿設され、更に前記上部固定プレート（２２）に非円形の第３枢設孔（２２１）が穿設され、前記枢軸（２３）は、断面形状が非円形であり、該各枢設孔に貫設されると共に、第２枢設孔（２１１）と第３枢設孔（２２１）に係合されることを特徴とする請求項１１に記載の携帯型電子機器、を提供する。
【考案の効果】
【００１７】
本考案は上記の課題を解決するものであり、携帯型電子機器におけるカバーと本体との間に設置することにより、本体に対してカバーを回転させることができると共に、カバーを本体に対して回転させて、本体の上面に設置された入力ユニットを露出させた開放状態では、ヒンジのどの部分もカバーと本体から露出しないので、異物の進入を確実に防止することができる。
【図面の簡単な説明】
【００１８】
【図１】本考案に係る回転式ヒンジの分解斜視図である。
【図２】本考案に係る携帯型電子機器の斜視図である。
【図３】本考案に係る携帯型電子機器の分解斜視図である。
【図４】本考案に係る携帯型電子機器におけるカバーの回転操作を示す平面図である。
【図５】本考案に係る携帯型電子機器におけるカバーの回転操作を示す平面図である。
【図６】本考案に係る携帯型電子機器におけるカバーの回転操作を示す平面図である。
【図７】本考案に係る携帯型電子機器の他の実施例を示す斜視図である。
【図８】本考案に係る携帯型電子機器の更に他の実施例を示す分解斜視図である。
【図９】本考案に係る携帯型電子機器の更に他の実施例におけるカバーの回転操作を示す平面図である。
【図１０】本考案に係る携帯型電子機器の更に他の実施例におけるカバーの回転操作を示す平面図である。
【図１１】本考案に係る携帯型電子機器の更に他の実施例におけるカバーの回転操作を示す平面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１は本考案に係る回転式ヒンジの分解斜視図であり、図２は本考案に係る携帯型電子機器の斜視図であり、図３は本考案に係る携帯型電子機器の分解斜視図であり、図４乃至図６は本考案に係る携帯型電子機器におけるカバーの回転操作を示す平面図であり、図７は本考案に係る携帯型電子機器の他の実施例を示す斜視図であり、図８は本考案に係る携帯型電子機器の更に他の実施例を示す分解斜視図であり、図９乃至図１１は本考案に係る携帯型電子機器の更に他の実施例におけるカバーの回転操作を示す平面図である。
【００２１】
図１及び図２に示すように、本考案に係る回転式ヒンジ（１）は、回転ユニット（１０）と、固定ユニット（２０）と、少なくとも１つの復位ユニット（３０）とを有し、その内、該回転ユニット（１０）は、第１枢設孔（１１１）が穿設された回転プレート（１１）を有する。
【００２２】
前記固定ユニット（２０）は、回転ユニット（１０）に枢設され、下部固定プレート（２１）と、上部固定プレート（２２）と、枢軸（２３）とを有し、その内下部固定プレート（２１）と上部固定プレート（２２）は夫々、回転プレート（１１）の下側と上側に設置され、該枢軸（２３）は、下部固定プレート（２１）と回転プレート（１１）と上部固定プレート（２２）に順に貫設されると共に、上部固定プレート（２２）と下部固定プレート（２１）に固定され、更に詳細に述べると、該下部固定プレート（２１）と上部固定プレート（２２）に夫々、回転プレート（１１）における第１枢設孔（１１１）の位置に対応する第２枢設孔（２１１）と第３枢設孔（２２１）が穿設され、該枢軸（２３）は各枢設孔に貫設される。また、本実施例においては、前記第１枢設孔（１１１）が円形であるのに対し、第２枢設孔（２１１）と第３枢設孔（２２１）は非円形であり、前記枢軸（２３）は、第２枢設孔（２１１）と第３枢設孔（２２１）に係合するために断面形状が非円形となっている。
【００２３】
前記復位ユニット（３０）は、回転ユニット（１０）と固定ユニット（２０）に固定されると共に、回転ユニット（１０）を、固定ユニット（２０）に対して選択的に２つの位置の何れかに位置決めさせる付勢力を有するものであり、本実施例においては、復位ユニット（３０）が少なくとも１つのトーションばね（３１）を有し、該各トーションばね（３１）の両端が夫々、ピン（３２）によって回転ユニット（１０）と固定ユニット（２０）に固定される。また、前記トーションばね（３１）の数量は、回転式ヒンジ（１）が設置される装置の重量や大きさ、必要な付勢力によって選択する。
【００２４】
図２及び図３に示すように、本考案に係る携帯型電子機器（４０）は、カバー（４１）と、本体（４２）と、前記回転式ヒンジ（１）とを有し、その内カバー（４１）の上部には表示器（４１１）が設けられると共に、底部に収容溝（４１２）が凹設され、一方、該本体（４２）の上部には収容溝（４２１）が凹設され、該回転式ヒンジ（１）は、回転ユニット（１０）がカバー（４１）に固定されると共に、固定ユニット（２０）が本体（４２）に固定されるように、カバー（４１）の底部と本体（４２）の上部との間における中央に設置され、本実施例においては、該回転ユニット（１０）における回転プレート（１１）が、該カバー（４１）における収容溝（４１２）に固設されると共に、該固定ユニット（２０）における上部固定プレート（２２）とトーションばね（３１）が、該カバー（４１）における収容溝（４１２）に位置され、該固定ユニット（２０）における下部固定プレート（２１）が、該本体（４２）における収容溝（４２１）に固設される。尚、本考案においては、前記カバー（４１）と本体（４２）とが回転式ヒンジ（１）によって枢設されるので、従来技術のようにレールを設ける必要はない。
【００２５】
図４に示すように、カバー（４１）と本体（４２）は同様の断面形状を有するので、閉止状態では、該カバー（４１）と本体（４２）が、トーションばね（３１）の付勢力によって重なり合った状態に維持される。
【００２６】
図５に示すように、カバー（４１）を本体（４２）に対して回転させると、前記回転プレート（１１）がカバー（４１）の回転に伴って固定ユニット（２０）に対して回転するので、前記トーションばね（３１）が圧縮されて付勢力が発生する。
【００２７】
そして、図６に示すように、カバー（４１）に力を加えてカバー（４１）を一定の位置まで回転させると、トーションばね（３１）の付勢力により開放状態まで回転して位置決めされるので、これにより、本体（４２）の上部に設置されたキーボード等の入力ユニット（４２２）を露出させて入力操作を行うことができる。尚、本実施例においては、カバー（４１）を本体（４２）に対して９０度回転させると、本体（４２）における縦方向の中心線がカバー（４１）における横方向の中心線と重なる位置において開放状態となる。
【００２８】
図７及び図８に示すように、本考案に係る携帯型電子機器の更なる実施例は、本体（５２）と、カバー（５１）と、前記回転式ヒンジ（１）とを有し、その内本体（５２）の上部には、収容溝（５２１）が凹設されると共に、レンズ（５２２）が設けられ、該カバー（５１）は、レンズ（５２２）を覆い隠すためのものであり、その一端の底部に収容溝（５１１）が凹設され、該回転式ヒンジ（１）は、回転プレート（１１）とトーションばね（３１）と上部固定プレート（２２）がカバー（５１）における収容溝（５１１）に設置されると共に、下部固定プレート（２１）が本体（５２）における収容溝（５２１）に設置されるように、カバー（５１）の底部と本体（５２）との間の中央に設置される。
【００２９】
図９及び図１０に示すように、レンズ（５２２）は、カバー（５１）の自由端により覆い隠されており、該カバー（５１）を回転させることによって回転プレート（１１）を固定ユニット（２０）に対して回転させると、前記トーションばね（３１）が圧縮して付勢力が生じる。
【００３０】
そして、図１１に示すように、力を加えてカバー（５１）を一定の位置まで回転させると、カバー（５１）がトーションばね（３１）の付勢力により開放状態まで回転し、位置決めされ、これにより、本体（５２）におけるレンズ（５２２）が完全に露出するので、撮影を行うことができる。
【００３１】
上述したように、本考案の構成を用い、回転式ヒンジ（１）を異なる位置に設置すれば、カバー（４１、５１）の、本体（４２、５２）に対する回転ルートも変わるので、異なる構成の電子機器にも適用することができる。
【符号の説明】
【００３２】
１        回転式ヒンジ
１０        回転ユニット
１１        回転プレート
１１１        第１枢設孔
２０        固定ユニット
２１        下部固定プレート
２１１      第２枢設孔
２２        上部固定プレート
２２１        第３枢設孔
２３        枢軸
３０        復位ユニット
３１        トーションばね
３２        ピン
４０、５０        携帯型電子機器
４１、５１        カバー
４１１、５１１        表示器
４１２        収容溝
４２、５２        本体
４２１、５２１        収容溝
４２２        入力ユニット
５２２        レンズ
【図１】
0003157916.tif 000003
【図２】
0003157916.tif 000004
【図３】
0003157916.tif 000005
【図４】
0003157916.tif 000006
【図５】
0003157916.tif 000007
【図６】
0003157916.tif 000008
【図７】
0003157916.tif 000009
【図８】
0003157916.tif 000010
【図９】
0003157916.tif 000011
【図１０】
0003157916.tif 000012
【図１１】
0003157916.tif 000013